(57)【要約】    【課題】画像読取装置を大型化することなく、静止原稿により読取可能な原稿サイズより大きなサイズの原稿を読み取ることができる手段を提供する。    【解決手段】画像読取装置１は、上面に静止原稿読取領域２２及び移動原稿読取領域２３を有する原稿載置台２と、原稿載置台２の内部に設けられ、静止原稿読取領域２２の長手方向を読取ラインとして静止原稿読取領域２２の短手方向及び移動原稿読取領域２３に読取ラインを移動させる画像読取ユニット２４と、少なくとも静止原稿読取領域２２を覆うように原稿載置台２に開閉可能に設けられた原稿カバー４と、原稿トレイ６０から移動原稿読取領域２３を通過して原稿排出トレイ６２へ通ずる原稿搬送路６１を有するＡＤＦ３とを具備する。【選択図】図２
2007067605.tif 000002
【特許請求の範囲】
【請求項１】
上面に透明部材が露出されて平面視が長方形に形成された静止原稿読取領域、及び該静止原稿読取領域の長手方向に沿って透明部材が露出されてなる移動原稿読取領域を有する原稿載置台と、
上記原稿載置台の内部に設けられ、上記静止原稿読取領域の長手方向を読取ラインとして該静止原稿読取領域の短手方向及び上記移動原稿読取領域に読取ラインを移動させるラインセンサと、
少なくとも上記静止原稿読取領域を覆うように上記原稿載置台に開閉可能に設けられたカバー部材と、
読み取るべき原稿が載置される原稿載置部から、上記移動原稿読取領域をその長手方向に対して直交する方向に通過して、原稿が排出される原稿排出部へ通ずる搬送路を有する原稿搬送機構と、を具備するものである画像読取装置。
【請求項２】
上記原稿載置部及び原稿排出部が上下二段に配置され、上記搬送路が、該原稿載置部から該原稿排出部へ原稿を反転搬送するＵターンパスである請求項１に記載の画像読取装置。
【請求項３】
上記移動原稿読取領域を挟んだ対向位置に上記原稿載置部と上記原稿排出部とが配置され、上記搬送路が、該原稿載置部から該原稿排出部へ原稿を搬送するストレートパスである請求項１に記載の画像読取装置。
【請求項４】
上記ラインセンサは、上記静止原稿読取領域の長手方向と略同幅に列設された受光素子により、原稿からの反射光強度を読み取るコンタクトイメージセンサである請求項１から３のいずれかに記載の画像読取装置。
【請求項５】
上記静止原稿読取領域は、少なくともＡ４サイズの原稿を、その長手方向と該原稿の長手方向とを同方向として載置可能なものである請求項１から４のいずれかに記載の画像読取装置。
【請求項６】
上記原稿搬送機構は、少なくともＡ３サイズの原稿を、該原稿の長手方向を搬送方向として搬送可能なものである請求項１から５のいずれかに記載の画像読取装置。
【請求項７】
上記カバー部材に上記原稿搬送機構が設けられ、該カバー部材が上記静止原稿読取領域及び上記移動原稿読取領域を覆うように上記原稿載置台に開閉可能に設けられたものである請求項１から６のいずれかに記載の画像読取装置。
【請求項８】
上記カバー部材は、上記静止原稿読取領域のみを覆うように上記原稿載置台に開閉可能に設けられたものである請求項１から６のいずれかに記載の画像読取装置。
【発明の詳細な説明】
【技術分野】
【０００１】
本発明は、静止原稿に対する画像読取りと移動原稿に対する画像読取りとが可能な画像読取装置に関する。
【背景技術】
【０００２】
従来より、静止原稿に対する画像読取りと移動原稿に対する画像読取りとが可能な画像読取装置が知られている。静止原稿に対する画像読取りは、原稿が載置されるプラテンガラスに対してイメージセンサを往復動させることにより行われる。このような画像読取りは、例えば、フラットベッドタイプと呼ばれる画像読取装置として知られている。一方、移動原稿に対する画像読取りは、所定の搬送路を通じて原稿を搬送する原稿搬送機構により、イメージセンサによる読取位置に原稿が搬送され、その読取位置を原稿が通過する際に画像読取りが行われる。このような原稿搬送機構は、例えば、オート・ドキュメント・フィーダ（Auto Document Feeder：以下「ＡＤＦ」と呼ぶ。）と呼ばれるものが知られている。
【０００３】
図１６及び図１７は、静止原稿に対する画像読取りと移動原稿に対する画像読取りとを行うことができる従来の画像読取装置を示すものである。図に示す多機能装置９０は、下部にプリンタ部９１を、上部にスキャナ部９２を一体的に備えたＭＦＤ（Multi Function Device）であり、プリンタ機能、スキャナ機能及びコピー機能等を有する。多機能装置９０のスキャナ部９２が、静止原稿に対する画像読取りと移動原稿に対する画像読取りとを行う画像読取装置である。
【０００４】
スキャナ部９２は、原稿載置台９３に原稿カバー９４が開閉可能に設けられてなる。原稿載置台９３の上面にはプラテンガラス９５が配設されている。静止原稿を読み取る場合には、このプラテンガラス９５に原稿が載置される。原稿載置台９３の内部には、イメージセンサを有する画像読取ユニットが設けられている。イメージセンサは、例えばコンタクトイメージセンサ（Contact Image Sensor：以下「ＣＩＳ」と呼ぶ。）が用いられる。このイメージセンサが、プラテンガラス９５に平行して移動されることにより、プラテンガラス９５に載置された原稿の画像読取りが行われる。
【０００５】
図１６に示すように、原稿カバー９４にはＡＤＦ９６が設けられている。ＡＤＦ９６は、原稿カバー９４の上面に上下二段に形成された原稿トレイ９７から排紙トレイ９８へ、所定の搬送路を通じて原稿を搬送するものである。図１７に示すように、原稿カバー９４の下面には移動原稿を読み取るための開口９９が形成されている。ＡＤＦ９６の搬送路を搬送される原稿は、開口９９を通過する際にプラテンガラス９５に対して露出される。原稿カバー９４を閉じた際に開口９９に対向するプラテンガラス９５の一部の領域は、移動原稿を読み取るための読取面である。移動原稿を読み取る際には、上記イメージセンサは、読取面の下方に静止される。そして、ＡＤＦ９６により搬送されて開口９９を通過する原稿の画像がイメージセンサにより読み取られる。
【０００６】
イメージセンサとして用いられるＣＩＳは、プラテンガラス９５の一方向、すなわちプラテンガラス２０の幅方向又は奥行き方向を読取ラインとして、その読取ラインに直交する方向に移動される。上記スキャナ部９２では、ＡＤＦ９６により開口９９を通過する原稿を読み取るために、開口９９の長手方向と同方向、すなわちプラテンガラス９５の奥行き方向が読取ラインとなるようにイメージセンサが配置されている。一方、ＡＤＦを有しないフラットベッドタイプの画像読取装置では、プラテンガラスの長手方向を読取ラインとなるようにイメージセンサを配置することがある（例えば、特許文献１参照）。
【０００７】
【特許文献１】特開２００２−２９０６８０号公報
【発明の開示】
【発明が解決しようとする課題】
【０００８】
静止原稿の画像読取りを行うフラットベッドタイプの画像読取装置では、読み取るべき原稿の全領域がプラテンガラスの読取領域上にあることが必要である。換言すれば、フラットベッドタイプの画像読取装置では、原稿がプラテンガラスの読取領域からはみ出た部分についての画像読取りを行うことができない。したがって、プラテンガラスは、読取可能な最大サイズの原稿に合致した大きさとなる。例えば、読取可能な最大サイズがＡ３サイズの画像読取装置に用いられるプラテンガラスは、Ａ３サイズより若干広い面積を有する。一方、読取可能な最大サイズがＡ４サイズの画像読取装置に用いられるプラテンガラスは、Ａ４サイズより若干広い面積を有する。
【０００９】
プリンタ機能、スキャナ機能及びコピー機能等を有するＭＦＤには、多機能化及び小型化の要請がある。したがって、ＭＦＤに用いられるスキャナ部では、比較的使用頻度の高いＡ４サイズの原稿を読取可能な最大サイズにしたものが多い。ところで、画像読取装置により読み取った画像は、画像処理プログラム等を用いて拡大又は縮小することが容易である。したがって、ＭＦＤのスキャナ部により読み取った画像を縮小して、所望のサイズの用紙に任意のレイアウトで印刷することができる。このような機能を考慮すれば、仮にプリンタ部により印刷可能な記録用紙の最大サイズがＡ４サイズであっても、スキャナ部によりＡ４サイズより大きな画像を読み取ることができれば便利である。
【００１０】
本発明は、これらの点に鑑みてなされたものであり、画像読取装置を大型化することなく、静止原稿により読取可能な原稿サイズより大きなサイズの原稿を読み取ることができる手段を提供することを目的とする。
【課題を解決するための手段】
【００１１】
(1)本発明に係る画像読取装置は、上面に透明部材が露出されて平面視が長方形に形成された静止原稿読取領域、及び該静止原稿読取領域の長手方向に沿って透明部材が露出されてなる移動原稿読取領域を有する原稿載置台と、上記原稿載置台の内部に設けられ、上記静止原稿読取領域の長手方向を読取ラインとして該静止原稿読取領域の短手方向及び上記移動原稿読取領域に読取ラインを移動させるラインセンサと、少なくとも上記静止原稿読取領域を覆うように上記原稿載置台に開閉可能に設けられたカバー部材と、読み取るべき原稿が載置される原稿載置部から、上記移動原稿読取領域をその長手方向に対して直交する方向に通過して、原稿が排出される原稿排出部へ通ずる搬送路を有する原稿搬送機構と、を具備するものである。
【００１２】
原稿載置台の上面には、平面視が長方形の静止原稿読取領域と、該静止原稿読取領域の長手方向に沿った移動原稿読取領域とが形成されている。静止原稿読取領域には画像読取りを行う原稿が載置される。原稿載置台の内部に設けられたラインセンサは、静止原稿読取領域の長手方向を読取ラインとして、該読取ラインを静止原稿読取領域の短手方向に移動させて原稿の画像を読み取る。つまり、静止原稿読取領域の長手方向がラインセンサの主走査方向であり、短手方向がラインセンサの副走査方向である。これにより、静止原稿読取領域に載置可能なサイズの原稿の画像読取りが行われる。
【００１３】
原稿搬送機構は、原稿載置部に載置された原稿を移動原稿読取領域を経て原稿排出部に搬送する。移動原稿読取領域においては、その長手方向に対して直交する方向に原稿が搬送される。移動原稿読取領域の下方にはラインセンサが位置せしめられ、移動原稿読取領域を通過する原稿の画像が読み取られる。移動原稿読取領域は静止原稿読取領域の長手方向に沿って形成されており、静止原稿読取領域の長手方向は、ラインセンサの読取ラインと同方向である。つまり、移動原稿読取領域の長手方向がラインセンサの主走査方向であり、搬送方向がラインセンサの副走査方向である。これにより、移動原稿読取領域の長手方向に収まる幅の原稿の画像読取りが行われる。
【００１４】
(2)上記原稿載置部及び原稿排出部が上下二段に配置され、上記搬送路が、該原稿載置部から該原稿排出部へ原稿を反転搬送するＵターンパスであってもよい。
【００１５】
これにより、原稿搬送機構により搬送される原稿の幅を移動原稿読取領域の長手方向として、原稿をＵターン搬送することができる。
【００１６】
(3)上記移動原稿読取領域を挟んだ対向位置に上記原稿載置部と上記原稿排出部とが配置され、上記搬送路が、該原稿載置部から該原稿排出部へ原稿を搬送するストレートパスであってもよい。
【００１７】
これにより、原稿搬送機構により搬送される原稿の幅を移動原稿読取領域の長手方向として、原稿をストレート搬送することができる。
【００１８】
(4)上記ラインセンサは、上記静止原稿読取領域の長手方向に略同幅に列設された受光素子により、原稿からの反射光強度を読み取るコンタクトイメージセンサであってもよい。
【００１９】
これにより、コンタクトイメージセンサの主走査方向を静止原稿読取領域の長手方向とした画像読取装置が実現される。また、コンタクトイメージセンサの移動方向が静止原稿読取領域の短手方向となるので、コンタクトイメージセンサの移動時間、特に画像読取り後のリターン時間を短縮することができる。
【００２０】
(5)上記静止原稿読取領域は、少なくともＡ４サイズの原稿を、その長手方向と該原稿の長手方向とを同方向として載置可能なものであってもよい。
【００２１】
これにより、静止原稿読取領域に載置されたＡ４サイズの原稿は、その長手方向を読取ラインとしてラインセンサにより画像読取りが行われる。
【００２２】
(6)上記原稿搬送機構は、少なくともＡ３サイズの原稿を、該原稿の長手方向を搬送方向として搬送可能なものが好適である。
【００２３】
これにより、原稿搬送機構により搬送されるＡ３サイズの原稿は、その長手方向を搬送方向として搬送され、移動原稿読取領域において、その短手方向を読取ラインとしてラインセンサにより画像読取りが行われる。
【００２４】
(7)上記カバー部材に上記原稿搬送機構が設けられ、該カバー部材が上記静止原稿読取領域及び上記移動原稿読取領域を覆うように上記原稿載置台に開閉可能に設けられたものであってもよい。
【００２５】
(8)上記カバー部材は、上記静止原稿読取領域のみを覆うように上記原稿載置台に開閉可能に設けられたものであってもよい。
【発明の効果】
【００２６】
本発明に係る画像読取装置によれば、原稿載置台の上面に、平面視が長方形の静止原稿読取領域と、該静止原稿読取領域の長手方向に沿った移動原稿読取領域とが形成され、原稿載置台の内部に設けられたラインセンサは、静止原稿読取領域の長手方向を主走査方向、短手方向を副走査方向として、静止原稿読取領域に載置された原稿の画像読取りを行う。これにより、静止原稿読取領域に対するラインセンサの読取ラインの移動幅が短縮される。また、移動原稿読取領域においては、原稿搬送機構により、移動原稿読取領域の長手方向に対して直交する方向に原稿が搬送され、移動原稿読取領域の長手方向をラインセンサの主走査方向、搬送方向を副走査方向として、搬送される原稿の画像読取りを行うこととしたので、移動原稿読取領域の長手方向に収まる幅の原稿の画像読取りが行われる。これにより、静止原稿読取領域に載置できない大きなサイズの原稿の画像読取りを行うことができる。
【発明を実施するための最良の形態】
【００２７】
以下、適宜図面を参照して本発明の実施形態を説明する。なお、本実施形態は本発明の一例にすぎず、本発明の要旨を変更しない範囲で、実施形態を適宜変更できることは言うまでもない。
【００２８】
〔第１の実施形態〕
図１は、本発明の第１の実施形態に係る画像読取装置１の外観構成を示すものである。画像読取装置１は、ＦＢＳ（Flatbed Scanner）として機能する原稿載置台２に対して、自動原稿搬送機構（ＡＤＦ：Auto Document Feeder、以下「ＡＤＦ」という。）３を備えた原稿カバー４（カバー部材）が、背面側の蝶番を介して開閉自在に取り付けられてなる。
【００２９】
画像読取装置１の正面側には、操作パネル５が設けられている。操作パネル５は、各種操作キーと液晶ディスプレイとを具備する。使用者は、操作パネル５を用いて、所望の指令を入力する。画像読取装置１は、所定の入力を受けて所定の動作を行う。画像読取装置１は、操作パネル５へ入力された指令のほか、コンピュータに接続されて該コンピュータからスキャナドライバを介して送信される指令によっても動作する。
【００３０】
画像読取装置１は、主に不図示のコンピュータと接続されて、読み取った画像データをコンピュータに転送するものである。なお、画像読取装置１は、本発明に係る画像読取装置の一実施態様にすぎず、例えば、プリンタ機能、スキャナ機能及びコピー機能等を有するＭＦＤ（Multi Function Device）においてスキャナ部として実施したり、複写機の画像読取部として実施してもよいことは当然である。
【００３１】
図２は、原稿載置台２に対して原稿カバー４を開いた状態の画像読取装置１を示している。図に示すように、原稿載置台２の上面にはプラテンガラス２０（透明部材）が配設されている。原稿載置台２の上面にプラテンガラス２０が露出された領域が、静止原稿読取領域２２及び移動原稿読取領域２３である。静止原稿読取領域２２は、画像読取装置１をフラットベッドスキャナとして用いる場合に、原稿が載置されて画像読取りされる領域である。移動原稿読取領域２３は、画像読取装置１のＡＤＦ３を用いて画像読取りを行う場合に、原稿が通過される領域である。
【００３２】
静止原稿読取領域２２は、平面視が長方形であり、原稿載置台２の上面の大半を占めている。静止原稿読取領域２２の長手方向は、装置の幅方向である。静止原稿読取領域２２に載置可能な最大サイズはＡ４サイズである。つまり、画像読取装置１は、ＦＢＳとして用いる場合には、Ａ４サイズの大きさまでの原稿を読み取ることができる。Ａ４サイズの原稿は、その長手方向を静止原稿読取領域２２の長手方向と一致させて、すなわち原稿の長手方向を装置の幅方向としてプラテンガラス２０上に載置される。
【００３３】
原稿載置台２の上面であって静止原稿読取領域２２の装置正面側には、移動原稿読取領域２３が形成されている。移動原稿読取領域２３は、静止原稿読取領域２２の長手方向に沿って細長の領域である。画像読取装置１のＡＤＦ３を用いて画像読取りする場合には、移動原稿読取領域２３を通過するように原稿が搬送される。
【００３４】
図１に示すように原稿カバー４が閉じられた状態では、静止原稿読取領域２２及び移動原稿読取領域２３は原稿カバー４に覆われる。原稿カバー４の下面には、静止原稿読取領域２２に載置された原稿を押さえるために、スポンジ及び白板等からなる押さえ部材２１が配設されている。
【００３５】
原稿載置台２の内部には、画像読取ユニット２４が内蔵されている。ＦＢＳによる画像読取りの際には、画像読取ユニット２４がプラテンガラス２０に沿って往復動されることにより、静止原稿読取領域２２にある原稿の画像読取りが行われる。ＡＤＦ３を用いる場合には、画像読取ユニット２４は、移動原稿読取領域２３を通過する原稿を読取可能な位置に移動して静止する。
【００３６】
図３は、原稿載置台２の内部構成を示すものであり、原稿載置台２の筐体の上カバー２６（図６参照）を取り外した状態を示している。原稿載置台２の筐体の下フレーム２５内には、画像読取ユニット２４が配設されている。プラテンガラス２０を露出するための開口が形成された上カバー２６が下フレーム２５に嵌合されて、原稿載置台２の筐体が構成される。下フレーム２５及び上カバー２６は共に合成樹脂製のものである。なお、下フレーム２５には、画像読取ユニット２４が配設される部分と操作パネル９の基板等が配設される部分とを仕切る仕切板やプラテンガラス２０を支持するための支持リブ、各種部材をネジ止めするためのボス部、電気配線等のための貫通孔等が設けられているが、これらは原稿載置台２の実施態様に応じて適宜設計されるものなので、図３及び図４においては省略されている。
【００３７】
画像読取ユニット２４は、コンタクトイメージセンサ（Contact Image Sensor：以下「ＣＩＳ」と呼ぶ。）２７（ラインセンサ）、キャリッジ２８、ガイドシャフト２９及びベルト駆動機構３０から構成されている。
【００３８】
図４は、ＣＩＳ２７の構成を示す平面図である。図４に示すように、ＣＩＳ２７は、その上面３１が平面視で細長矩形の平面であり、且つ全体形状が細長直方体形状の筐体３２を有する。筐体３２の上面３１には、筐体３２に内蔵されたＬＥＤの光を導くライトガイド３３が筐体３２の長手方向に略同幅に配設されている。このライトガイド３３により、ＬＥＤの光がＣＩＳ２７の筐体３２の上面３１側へ長手方向に沿って出射される。また、筐体３２の上面３１には、複数の集光レンズ３４がライトガイド３３と平行するように筐体３２の長手方向に略同幅に一列に配設されている。さらに、筐体３２の内部には、集光レンズ３４の直下に複数の受光素子が集光レンズ３４と同方向に筐体３２と略同幅に列設されている。ＬＥＤから出射された光はプラテンガラス２０上の原稿に照射され、その反射光が集光レンズ３４により受光素子に集光される。受光素子は反射光の強度に応じた電気信号を出力する所謂光電変換素子であり、反射高強度に応じた電気信号を出力する。ＣＩＳ２７の筐体３２の長手方向は、画像読取りにおける主走査方向である。この主走査方向の長さ、すなわちＣＩＳ２７の筐体３２の長手方向の長さは、ＣＩＳ２７が読取り可能な最大サイズの被読取媒体に対応した長さである。ＣＩＳ２７は、筐体３２の長手方向を読取ラインとして画像読取りを行い、読取ライン毎の電気信号を出力する。
【００３９】
ＣＩＳ２７の筐体３２には、位置決め部３５が設けられている。位置決め部３５は、キャリッジ２８に対して、ＣＩＳ２７の副走査方向、すなわち主走査方向と直交する方向の位置決めを行うものである。位置決め部３５は、ＣＩＳ２７の筐体３２の短手方向側の一方の端部から基部３６が突設され、該基部３６から長手方向に軸３７が突設されてなる。この軸３７が、後述されるキャリッジ２８の軸受け部４１と嵌合して、ＣＩＳ２７の副走査方向の位置決めがなされる。ＣＩＳ２７の筐体３２の短手方向の他端には、凸部３８が形成されている。この凸部３８は、後述されるキャリッジ２８の凹部４２と嵌合してＣＩＳ２７の主走査方向の位置決めを行うものである。
【００４０】
図５は、ＣＩＳ２７を搭載したキャリッジ２８を示す平面図である。図５に示すように、キャリッジ２８は、その上側にＣＩＳ２７を搭載する容器状のものである。キャリッジ２８は、底部３９（図６参照）と、底部３９の副走査方向側の両端から上方へ立設された壁４０とを有する。この底部３９と壁４０とにより形成される空間内にＣＩＳ２７が収容される。底部３９の主走査方向側の両端には壁が設けられておらず、ＣＩＳ２７の筐体３２の一方の端部は、キャリッジ２８の長手方向側から突出される。キャリッジ２８の上端は開口しており、キャリッジ２８に搭載されたＣＩＳ２７の上面３１が露出される。
【００４１】
上記壁４０の一方には、ＣＩＳ２７の位置決め部３５と嵌合する軸受け部４１が形成されている。軸受け部４１は、底部３９を下方としたときの上下方向の長孔であり、この長孔に位置決め部３５の軸３７が挿通されることにより、位置決め部３５と軸受け部４１とが嵌合される。軸受け部４１は、上記一対の位置決め部３５に対応した位置に配置されている。上記壁４０の他方の内面側には、上記凸部３８に対応して凹部４２が形成されている。この凹部４２とＣＩＳ２７の凸部３８とが嵌合することにより、キャリッジ２８に対するＣＩＳ２７の主走査方向の位置決めがなされる。
【００４２】
なお、本実施の形態では、ＣＩＳ２７の筐体３２に設けられた位置決め部３５により副走査方向の位置決めが行われ、凸部３８により主走査方向の位置決めが行われるものとしたが、これらによるキャリッジ２８に対するＣＩＳ２７位置決めは一例であり、その形状や位置決めの方向等を変更することができる。
【００４３】
ＣＩＳ２７の長手方向の両端には、ローラユニット４３が設けられている。図４に示すように、ＣＩＳ２７の上面３１の両端には、ローラユニット４３を位置決めするための位置決め孔４４が形成されている。位置決め孔４４にローラユニット４３の底面に突設されたピンが嵌入されて、図５に示すように、ＣＩＳ２７の両端にローラユニット４３がそれぞれ位置決め固定される。各ローラユニット４３は、フレーム４５に、一対のローラ４６がＣＩＳ２７の短手方向に転動可能にそれぞれ軸支されたものである。各ローラ４６は、ＣＩＳ２７の上面３１から均等に上方へ突出しており、これらローラ４６がプラテンガラス２０の下面に当接して、ＣＩＳ２７の上面３１とプラテンガラス２０の下面とが一定の間隙に保持される。また、各ローラ４６の転動により、プラテンガラス２０に対するＣＩＳ２７の移動が円滑なものになる。
【００４４】
図６は、原稿載置台２の内部構成を示す縦断面図である。図６に示すように、キャリッジ２８は、その上側に支持するようにしてＣＩＳ２７を搭載している。キャリッジ２８の下面には、ガイドシャフト２９を上方から跨ぐようにして嵌合するシャフト受け部４７が形成されている。シャフト受け部４７とガイドシャフト２９とが嵌合して、キャリッジ２８がガイドシャフト２９に担持され、ガイドシャフト２９の軸方向にキャリッジ２８が摺動自在となっている。シャフト受け部４７の側方には、ベルト掴持部４８が下方へ突設されている。ベルト掴持部４８が、ベルト駆動機構３０のタイミングベルト５３を掴むことにより、タイミングベルト５３とキャリッジ２８とが連結される。これにより、ベルト駆動機構３０からキャリッジ２８に駆動力が伝達されて、ガイドシャフト２９上をキャリッジ２８が移動する。
【００４５】
キャリッジ２８の内面側には、バネ受け部４９が左右２箇所に形成されている。バネ受け部４９により位置決めされて、ＣＩＳ２７とキャリッジ２８との間にコイルバネ５０が介設されている。コイルバネ５０により、キャリッジ２８に搭載されたＣＩＳ２７が、ローラユニット４３を介してプラテンガラス２０の下面に押し付けられるように密着される。ＣＩＳ２７は、コイルバネ５０の弾性変形によりキャリッジ２８に対して上下動可能である。したがって、プラテンガラス２０が撓むと、その撓みに追従するようにＣＩＳ２７が上下動する。
【００４６】
図７は、ベルト駆動機構３０の構成を示す平面図であり、原稿載置台２の筐体の上カバー２６やキャリッジ２８等を取り外した状態を示している。図７に示すように、ベルト駆動機構３０は、駆動プーリ５１と従動プーリ５２との間にタイミングベルト５３が巻架されて構成されている。タイミングベルト５３は、内側に歯が形成された無端ベルトである。駆動プーリ５１の軸には、モータの回転が出力される。駆動プーリ５１の回転を受けて、タイミングベルト５３が周運動する。駆動プーリ５１は、下フレーム２５の正面左側に配設されている。駆動プーリ５１に巻かれたタイミングベルト５３は、下フレーム２５の正面側に沿って中央付近へ延出され、ガイドシャフト２９の手前に配設された中間プーリ５４に巻かれて略直角に曲折され、ガイドシャフト２９に沿って下フレーム２５の背面まで延出され、背面付近に配設された従動プーリ５２に巻かれることにより、Ｌ字状に架設されている。従動プーリ５２は、ガイドシャフト２９の軸方向にスライド可能なプーリホルダ５５に軸支されている。プーリホルダ５５は、ネジリコイルバネ５６により下フレーム２５の背面側へ付勢されている。この付勢力を受けて、従動プーリ５２に巻回されたタイミングベルト５３に適度な張力が付与される。タイミングベルト５３の従動プーリ５２から中間プーリ５４の間の部分、すなわちガイドシャフト２９に沿った部分を、キャリッジ２８のベルト掴持部４８が掴む。これにより、タイミングベルト５３とキャリッジ２８とが連結される。なお、タイミングベルト５３には、無端ベルト以外に、ベルトの両端部がキャリッジ２８に固着された有端ベルトを用いることができることは言うまでもない。
【００４７】
なお、本実施の形態では、ＣＩＳ２７はキャリッジ２８に搭載されてベルト駆動機構３０によりプラテンガラス２０と平行に移動されるものとしたが、ＣＩＳ２７等のラインセンサの移動手段はこれに限定されず、例えば、キャリッジ２８を省いて、ガイドシャフト２９がＣＩＳ２７を直接支持し、ベルト駆動機構３０のタイミングベルト５３がＣＩＳ２７に直接連結される構成としてもよい。
【００４８】
図１に示すように、原稿カバー４には、原稿トレイ６０（原稿載置部）から所定の原稿搬送路６１（搬送路）を経て原稿排出トレイ６２（原稿排紙部）へ原稿を連続搬送するＡＤＦ３が備えられている。ＡＤＦ３による搬送過程において、原稿が原稿載置台２の上面の移動原稿読取領域２３を通過し、その下方に待機する画像読取ユニット２４が、該原稿の画像を読み取るようになっている。
【００４９】
原稿カバー４の上面には、原稿トレイ６０及び原稿排出トレイ６２が、原稿トレイ６０を下側にして上下二段に設けられている。原稿トレイ６０は、原稿カバー４の上面と一体に形成されている。ＡＤＦ３により画像読取りを行う原稿は、複数枚が積層された状態で、給紙方向の先端をＡＤＦ３に挿入するようにして、原稿トレイ６０上に載置される。
【００５０】
原稿トレイ６０には、画像読取装置１の幅行き方向に隔てて一対の原稿ガイド６３が、装置幅方向へスライド移動可能に設けられている。原稿ガイド６３は、原稿トレイ６０から起立して、原稿トレイ６０に載置される原稿の幅方向の位置を規制するものである。一対の原稿ガイド６３は、周知の連動機構により、いずれか一方の原稿ガイド６３をスライド移動させると、他方の原稿ガイド６３も連動して相反する方向へスライド移動する。
【００５１】
原稿幅が狭い場合には、一方の原稿ガイド６３を装置幅方向中央へスライド移動させると、これに連動して、他方の原稿ガイド６３も装置幅方向中央へスライド移動する。これにより、装置幅方向の略中央を基準として、一対の原稿ガイド６３により規制される原稿幅を狭くすることができる。原稿幅が広い場合には、一方の原稿ガイド６３を装置幅方向外側へスライド移動させると、これに連動して、他方の原稿ガイド６３も装置幅方向外側へスライド移動して、一対の原稿ガイド６３により規制される原稿幅を広くすることができる。
【００５２】
一対の原稿ガイド６３には、原稿トレイ６０と上下方向に隔てて原稿排出トレイ６２がそれぞれ一体的に形成されている。ＡＤＦ３から排紙された原稿は、その両側を原稿排出トレイ６２に担持されて、原稿トレイ６０上の原稿と分離した状態で保持される。原稿排出トレイ６２より排紙方向の長さが長い原稿は、その排紙方向先端側が原稿排出トレイ６２から垂れ下がるようにして、原稿トレイ６０上に保持される。したがって、原稿トレイ６０上の原稿の給紙方向後端部分の上に、原稿排出トレイ６２上の原稿の排紙方向先端部分が重なる。しかし、原稿トレイ６０上の原稿の給紙方向先端部分と、原稿排出トレイ６２上の原稿の排紙方向後端部分とは、原稿排出トレイ６２により上下二段に保持されているので、読取り前の原稿と読取り後の原稿とが混同することはない。原稿排出トレイ６２を短くすることにより、原稿カバー４上に必要な空間を小さくして、画像読取装置１を小型化することができる。
【００５３】
原稿トレイ６０のＡＤＦ３が設けられていない側の端部、すなわち装置背面側の端部には、拡張トレイ６４が設けられている。拡張トレイ６４は、装置背面側が軸支されることにより、原稿トレイ６０の背面側へ突出する拡張姿勢と、原稿トレイ６０の上面に倒伏する倒伏姿勢とに回動可能である。拡張トレイ６４を拡張姿勢にすることにより、原稿トレイ６０より大きな原稿を原稿トレイ６０及び拡張トレイ６４により保持させることができる。これにより、原稿トレイ６０より大きなサイズの原稿を原稿トレイ６０及び拡張トレイ６４に載置してＡＤＦ３により搬送し、ＡＤＦ３から排出された原稿を原稿排出トレイ６２、原稿トレイ６０及び拡張トレイ６４に保持させることができる。また、原稿トレイ６０に収まるサイズの原稿を読み取る場合には、拡張トレイ６４を倒伏姿勢にすることにより、原稿カバー４の面積を小さくすることができ、装置の小型化が実現される。
【００５４】
図８は、ＡＤＦ３の内部構成を示す縦断面図である。図８に示すように、ＡＤＦ３の内部には、原稿トレイ６０と原稿排出トレイ６２とを連結するようにして、原稿搬送路６１が縦断面視で横向き略Ｕ字形状に形成されている。原稿搬送路６１は、原稿カバー４に一体に形成されたＡＤＦ本体６５と、ＡＤＦ本体６５に開閉自在に設けられたＡＤＦカバー６６とによって構成されている。ＡＤＦ３の吸入シュート部６７は、原稿トレイ６０の原稿載置面が延長されるように形成されている。吸入シュート部６７は、ＡＤＦ本体６５と一体的に形成されたガイド板６８とＡＤＦカバー６６の内側に配設された区画板６９とをガイド面として、上下に所定幅の通路として構成されている。ＡＤＦ３により画像読取りを行う原稿は、給紙方向の先端を吸入シュート部６７に挿入するようにして、原稿トレイ６０上に載置される。
【００５５】
原稿搬送路６１は、吸入シュート部６７から、湾曲部７０を経て、排紙シュート部７１へ所謂Ｕターンパスを形成している。湾曲部７０及び排紙シュート部７１も、ＡＤＦ本体６５、ＡＤＦカバー６６、区画板６９等により、所定幅の通路として連続的に形成されている。原稿トレイ６０にセットされた原稿は、吸入シュート部６７に案内されて湾曲部７０へ給送され、排紙シュート部７１から原稿排出トレイ６２へ排紙されることにより、原稿トレイ６０から原稿排出トレイ６２へ反転搬送される。
【００５６】
原稿搬送路６１には、吸入ローラ７２とこれに圧接する吸入ニップ片７３、分離ローラ７４とこれに圧接する分離ニップ片７５、及び原稿搬送ローラ７６とこれに圧接するピンチローラ７７が配設されている。これらにより、原稿を搬送する搬送手段が構成されているが、各ローラやニップ片の構成は一例であり、ローラの数や配置を変更したり、各ニップ片に代えてピンチローラを用いる等、その他の公知の搬送手段に変更できることは勿論である。
【００５７】
吸入ローラ７２は、吸入シュート部６７の略中央に、そのローラ面の一部をガイド板６８の上面から露出するようにして回転可能に設けられている。同様に、分離ローラ７４は、吸入ローラ７２から給紙方向へ隔てた位置に、そのローラ面の一部をガイド板６８の上面から露出するようにして回転可能に設けられている。吸入ローラ７２及び分離ローラ７４は、モータからの駆動力が伝達されて回転駆動される。吸入ローラ７２及び分離ローラ７４は同径であり、同じ周速度で回転される。吸入ローラ７２への駆動伝達においては１周クラッチが介設されており、吸入ローラ７２は１周分の空転が可能である。
【００５８】
吸入ニップ片７３は、区画板６９の吸入ローラ７２の対向位置に、吸入ローラ７２と接離する方向へ揺動可能に設けられている。吸入ニップ片７３は、吸入ローラ７２の軸方向のローラ幅より若干狭い幅のパッド状のものである。吸入ニップ片７３が、その給紙方向上流側の両側を回動軸として区画板６９に軸支されることにより、給紙方向下流側の端部が吸入ローラ７２のローラ面に接触可能に進退する。吸入ニップ片７３は、バネ部材により下方へ弾性付勢されており、原稿をニップしない状態で常時吸入ローラ７２に圧接されている。なお、パッド状の吸入ニップ片７３に代えてローラを用いてもよいが、パッド状の当接部材にすることにより、当接部材を簡易且つ省スペースで実現することができ、また、当接部材に付与する弾性付勢力の調整が容易である。
【００５９】
分離ニップ片７５は、区画板６９の分離ローラ７４の対向位置に、分離ローラ７４と接離する方向へ揺動可能に設けられている。分離ニップ片７５は、分離ローラ７４の軸方向のローラ幅より若干狭い幅のパッド状のものである。分離ニップ片７５は、その給紙方向上流側を回動軸として、給紙方向下流側の端部が分離ローラ７４のローラ面に接触可能に進退する。分離ニップ片７５は、バネ部材により下方へ弾性付勢されており、原稿をニップしない状態で常時分離ローラ７４のローラ面に圧接されている。なお、パッド状の分離ニップ片７５に代えてローラを分離ローラ７４に当接させることとしてもよいが、パッド状の当接部材にすることにより、当接部材を簡易且つ省スペースで実現することができ、また、当接部材に付与する弾性付勢力の調整が容易である。
【００６０】
原稿搬送ローラ７６は、原稿搬送路６１の横向き略Ｕ字形状の湾曲部７０に配設されている。原稿搬送ローラ７６は、そのローラ面が湾曲部７０の一部をなす程度の外径である。原稿搬送ローラ７６は、吸入ローラ７２及び分離ローラ７４と同様に、モータからの駆動力が伝達されて回転駆動される。
【００６１】
原稿搬送ローラ７６の周囲の３箇所には、ピンチローラ７７がそれぞれ設けられている。各ピンチローラ７７は、その軸がバネ片に弾性付勢されてＡＤＦ本体６５又はＡＤＦカバー６６に回転自在に支持され、原稿搬送ローラ７６のローラ面に圧接している。原稿搬送ローラ７６が回転すれば、これに従動してピンチローラ７７も回転する。これらピンチローラ７７により、原稿が原稿搬送ローラ７６に圧接されて、原稿搬送ローラ７６の回転力が原稿に伝達される。
【００６２】
原稿搬送ローラ７６の給紙方向下流側には、排紙シュート部７１が形成されている。排紙シュート部７１は、ＡＤＦカバー６６の内面と原稿搬送ローラ７６とで構成された原稿搬送路６１の湾曲部７０に連続するようにして、ＡＤＦカバー６６と区画板６９との間に形成されている。原稿トレイ６０から原稿搬送路６１へ供給された原稿は、これら吸入シュート部６７、湾曲部７０、排紙シュート部７１を順次経て、原稿排出トレイ６２に排出される。
【００６３】
ＡＤＦカバー６６は、吸入ローラ７２より原稿トレイ６０側を回転軸として、上方へ回転自在に設けられている。ＡＤＦカバー６６を開くことにより、ガイド板６８と区画板６９とが大きく離間され、吸入シュート部６７及び湾曲部７０が開放されるとともに、吸入ローラ７２及び分離ローラ７４と吸入ニップ片７３及び分離ニップ片７５とが大きく離間される。ＡＤＦカバー６６を開くことにより、原稿搬送路６１において発生した紙詰まりを解消したり、ＡＤＦ３の内部のメンテナンスを行うことができる。
【００６４】
以下、本画像読取装置１による画像読取動作を図９及び図１０を用いて説明する。図９及び図１０は、原稿載置台２の上面を示す平面図である。なお、図において原稿カバー４や操作パネル５は省略されている。図に示すように、原稿載置台２の上面には、静止原稿読取領域２２と移動原稿読取領域２３とが形成されている。移動原稿読取領域２３が形成されている側が装置正面側であるが、移動原稿読取領域２３は、ＡＤＦ３を原稿カバー４の装置正面側又は装置背面側のいずれに設けるかにより、その位置が適宜変更される。
【００６５】
図９に示すように、画像読取装置１をＦＢＳとして用いる場合には、静止原稿読取領域２２に原稿が載置される。静止原稿読取領域２２は、載置可能な最大サイズがＡ４サイズとして形成されている。図に２点鎖線で示した領域８０はＡ４サイズと同等の領域を示している。図に示すように、Ａ４サイズの原稿は、その長手方向を静止原稿読取領域２２の長手方向、すなわち装置幅方向にして載置される。
【００６６】
原稿載置台２の内部にはＣＩＳ２７が内蔵されている。図に示すように、ＣＩＳ２７は、静止原稿読取領域２２の長手方向に細長であり、その細長の長手方向を読取ラインとするラインセンサである。ＣＩＳ２７の読取ラインは、静止原稿読取領域２２の長手方向と略同幅であり、Ａ４サイズの原稿の長手方向の長さに対応している。画像読取りが開始される際に、ＣＩＳ２７は、前述したベルト駆動機構３０により、静止原稿読取領域２２の短手方向の一端側、例えば、移動原稿読取領域２３側へ移動される。そして、ＣＩＳ２７は、光源から光を照射して原稿からの反射光を受光しながら、静止原稿読取領域２２の他端側、例えば、装置背面側へ移動される。つまり、ＣＩＳ２７は、静止原稿読取領域２２の短手方向に移動される。この移動の間に、ＣＩＳ２７が順次受光した反射光が電気信号に変換されて出力され、静止原稿読取領域２２の長手方向を読取ラインとして、原稿の画像読取りが行われる。つまり、ＣＩＳ２７は、静止原稿読取領域２２の長手方向を主走査方向とし、短手方向を副走査方向として原稿の画像読取りを行う。さらに換言すれば、Ａ４サイズの原稿は、その長手方向を主走査方向とし、短手方向を副走査方向として画像読取りが行われる。これにより、静止原稿読取領域２２の短手方向を主走査方向とし、長手方向を副走査方向としてラインセンサにより画像読取りを行う場合に比べて、ＣＩＳ２７を移動させる距離が短くなるので、ＣＩＳ２７の移動時間が短縮される。特に、原稿読取後にＣＩＳ２７を待機位置に戻すためのリターン時間が短縮されることにより、画像読取りに要する時間が短縮される。
【００６７】
図１０は、ＡＤＦ３を使用する場合の原稿載置台２に対する原稿の移動を示している。ＡＤＦ３を使用する場合には、図１０に示すように、ＣＩＳ２７は移動原稿読取領域２３の下方に移動して静止される。画像読取りを行う原稿は、ＡＤＦ３の原稿トレイ６０に載置される。ＡＤＦ３の原稿搬送路６１の幅は、移動原稿読取領域２３の長手方向に対応している。移動原稿読取領域２３の長手方向の長さは、静止原稿読取領域２２の長手方向の長さと同等であり、Ａ４サイズの原稿の長手方向の長さに対応している。ＡＤＦ３は、原稿搬送路６１の幅を最大幅とするサイズの原稿を搬送可能である。つまり、Ａ４サイズの原稿の長手方向の長さを幅方向の長さとする原稿を搬送可能である。このような幅を有する定型サイズの原稿はＡ３サイズである。したがって、ＡＤＦ３は、Ａ３サイズの原稿を、原稿の長手方向を搬送方向として搬送可能である。
【００６８】
ここで、原稿載置台２の上面は、Ａ４サイズより若干大きなものであり、原稿カバー４の平面視の面積も同程度の大きさである。したがって、原稿カバー４の上面に形成された原稿トレイ６０にＡ３サイズの原稿を載置すると、Ａ３サイズの原稿は原稿カバー４からはみ出るが、拡張トレイ６４を拡張姿勢にすることにより、Ａ３サイズの原稿を原稿カバー４上に保持することができる。原稿トレイ６０及び拡張トレイ６４に載置されたＡ３サイズの原稿は、原稿搬送路６１に給紙されて移動原稿読取領域２３に至る。さらに搬送されることにより、原稿は移動原稿読取領域２３を通過する。その際に、ＣＩＳ２７が搬送されている原稿の画像を読み取る。
【００６９】
図１０に２点鎖線で示した領域８１は、Ａ３サイズの原稿を示している。図に示すように、Ａ３サイズの原稿が移動原稿読取領域２３を通過する方向は、移動原稿読取領域２３の長手方向に対して直交する方向である。移動原稿読取領域２３の長手方向とＣＩＳ２７の読取ラインは同方向である。つまり、移動原稿読取領域２３の長手方向がＣＩＳ２７の主走査方向であり、原稿の搬送方向がＣＩＳ２７の副走査方向である。したがって、ＡＤＦ３により搬送されるＡ３サイズの原稿は、その短手方向を主走査方向とし、長手方向を副走査方向として画像読取りが行われる。これにより、移動原稿読取領域２３の長手方向に収まる幅の原稿、すなわち最大でＡ３サイズの原稿の画像読取りを行うことができる。
【００７０】
このように、本画像読取装置１によれば、原稿載置台２の上面に、平面視が長方形の静止原稿読取領域２２と、静止原稿読取領域２２の長手方向に沿った移動原稿読取領域２３とが形成され、原稿載置台２の内部に設けられたＣＩＳ２７は、静止原稿読取領域２２の長手方向を主走査方向、短手方向を副走査方向として、静止原稿読取領域２２に載置された原稿の画像読取りを行うこととしたので、静止原稿読取領域２２に対するＣＩＳ２７の移動幅が短縮される。また、移動原稿読取領域２３においては、ＡＤＦ３により、移動原稿読取領域２３の長手方向に対して直交する方向に原稿が搬送され、移動原稿読取領域２３の長手方向をＣＩＳ２７の主走査方向、搬送方向を副走査方向として、搬送される原稿の画像読取りを行うこととしたので、移動原稿読取領域２３の長手方向に収まる幅の原稿の画像読取りが行われる。これにより、Ａ４サイズに対応した静止原稿読取領域２２に載置できない大きなサイズ、例えばＡ３サイズの原稿の画像読取りを行うことができる。
【００７１】
なお、本実施の形態では、ラインセンサとしてＣＩＳ２７を用いた場合について示したが、本発明に係るラインセンサはＣＩＳに限定されず、例えばラインセンサとしてＣＣＤ（Charege Coupled Device）を用いて、反射鏡及びレンズ等により原稿の画像を縮小してＣＣＤに合焦する所謂縮小光学系の画像読取ユニットを用いることもできる。
【００７２】
また、本実施の形態では、原稿トレイ６０を下側にして、原稿トレイ６０と原稿排出トレイ６３とを上下二段に原稿カバー４に配置し、原稿を下から上に反転搬送するＵターンパスのＡＤＦ３を示したが、原稿トレイ６０と原稿排出トレイ６３とを上下逆にして、原稿を上から下に反転搬送するＵターンパスに変更しても同様の効果が得られることは言うまでもない。
【００７３】
また、本実施の形態のように原稿を反転搬送するＵターンパスのＡＤＦ３に代えて、ストレートパスのＡＤＦを用いることもできる。具体的には、図１１に示すように、原稿カバー４にストレートパスのＡＤＦ６（原稿搬送機構）を配設する。原稿載置台２は、上記実施の形態と同様に、その上面にプラテンガラス２０が露出されて、静止原稿読取領域２２及び移動原稿読取領域２３が形成されている。また、原稿載置台２の内部には、画像読取ユニット２４が内蔵されている。
【００７４】
図１１に示すように、原稿カバー４には、原稿トレイ１０１（原稿載置部）から所定の原稿搬送路１０２（搬送路）を経て原稿排出トレイ１０３（原稿排紙部）へ原稿を連続搬送するＡＤＦ６が備えられている。ＡＤＦ６による搬送過程において、原稿がプラテンガラス２０の移動原稿読取領域２３を通過し、その下方に待機する画像読取ユニット２４が、該原稿の画像を読み取るようになっている。
【００７５】
原稿トレイ１０１は、原稿カバー４の上面に一体に形成されている。ＡＤＦ６により画像読取りを行う原稿は、複数枚が積層された状態で、給紙方向の先端をＡＤＦ６に挿入するようにして、原稿トレイ１０１上に載置される。なお、原稿トレイ１０１には、上記実施の形態と同様に原稿ガイドが設けられているが、図においては省略されている。また、原稿トレイ１０１のＡＤＦ６が設けられていない側の端部には、拡張トレイ１０４が設けられている。拡張トレイ１０４は上記拡張トレイ６４と同様のものであり、原稿トレイ１０１の端部側が軸支されることにより、原稿トレイ１０１から突出する拡張姿勢と、原稿トレイ１０１の上面に倒伏する倒伏姿勢とに回動可能である。
【００７６】
原稿排出トレイ１０３は、原稿トレイ１０１と移動原稿読取領域２３を挟んで対向位置となるように、原稿載置台２の側面から水平方向やや上側へ突出するように配設されている。原稿排出トレイ１０３は、ＡＤＦ６から排紙される原稿を保持するものである。原稿排出トレイ１０３は、ＡＤＦ６により搬送可能な最大サイズの原稿、具体的にはＡ３サイズの原稿を保持可能なものであるが、原稿排出トレイ１０３をＡ４サイズの原稿と同程度の大きさにして、上記拡張トレイ１０４と同様の拡張トレイを設けることとすれば、原稿排出トレイ１０３を小型化することができる。なお、ＡＤＦ６は、装置正面側又は装置背面側のいずれに設けることとしてもよく、これに対応して、原稿排出トレイ１０３も装置帳面側又は装置背面側のいずれに設けられてもよい。
【００７７】
ＡＤＦ６の内部には、原稿トレイ１０１と原稿排出トレイ１０３とを連結するようにして、原稿搬送路１０２が形成されている。原稿搬送路１０２は、吸入シュート部１０５から移動原稿読取領域２３を経て、原稿排出トレイ１０３へ通ずるストレートパスである。原稿搬送路１０２により、原稿は、原稿トレイ１０１から原稿排出トレイ１０３へストレート搬送される。
【００７８】
原稿搬送路１０２には、吸入ローラ１０６とこれに圧接する吸入ニップ片１０７、分離ローラ１０８とこれに圧接する分離ニップ片１０９、原稿搬送ローラ１１０とこれに圧接するピンチローラ１１１、及び排紙ローラ１１２とこれに圧接するピンチローラ１１３とが配設されている。これらは上記実施の形態と同様のものであるので、詳細な説明は省略する。また、これらにより原稿を搬送する搬送手段が構成されているが、各ローラやニップ片の構成は一例であり、ローラの数や配置を変更したり、各ニップ片に代えてピンチローラを用いる等、その他の公知の搬送手段に変更できることは勿論である。
【００７９】
このようなＡＤＦ６により原稿の画像読取りを行う場合には、上記実施の形態と同様に、ＣＩＳ２７は移動原稿読取領域２３の下方に移動して静止される（図１０参照）。画像読取りを行う原稿は、ＡＤＦ６の原稿トレイ１０１に載置される。ＡＤＦ６の原稿搬送路１０２の幅は、移動原稿読取領域２３の長手方向に対応しており、Ａ４サイズの原稿の長手方向の長さを幅方向の長さとする原稿、具体的にはＡ３サイズの原稿を、原稿の長手方向を搬送方向として搬送可能である。
【００８０】
ＡＤＦ６により搬送されるＡ３サイズの原稿が、移動原稿読取領域２３を通過する方向は、移動原稿読取領域２３の長手方向に対して直交する方向である。つまり、移動原稿読取領域２３の長手方向がＣＩＳ２７の主走査方向であり、原稿の搬送方向がＣＩＳ２７の副走査方向である。したがって、Ａ３サイズの原稿は、その短手方向を主走査方向とし、長手方向を副走査方向として画像読取りが行われる。これにより、移動原稿読取領域２３の長手方向に収まる幅の原稿、すなわち最大でＡ３サイズの原稿の画像読取りを行うことができる。このように、上記ＡＤＦ３に代えて、ストレートパスのＡＤＦ６を用いても、上記実施の形態と同様の効果を奏することができる。
【００８１】
〔第２の実施形態〕
以下、本発明の第２の実施形態について説明する。上記第１の実施形態では、ＡＤＦ３が設けられた原稿カバー４が、静止原稿読取領域２２及び移動原稿読取領域２３のいずれもを覆うようにして、原稿載置台２に開閉可能に設けられたものとしたが、第２の実施形態では、原稿カバー１０が、静止原稿読取領域２２のみを覆うように原稿載置台２に開閉可能に設けられ、ＡＤＦ９の搬送手段等の主要部分が原稿カバー１０と独立して設けられている。
【００８２】
図１２は、本発明の第２の実施形態に係る画像読取装置７の外観構成を示すものである。画像読取装置７は、ＦＢＳとして機能する原稿載置台８の上側に、ＡＤＦ９が設けられ、ＡＤＦ９の一部をなす原稿カバー１０（カバー部材）が、原稿載置台８に対して開閉自在に取り付けられてなる。
【００８３】
画像読取装置７の正面側には、操作パネル１１が設けられている。操作パネル１１は、上記操作パネル５と同様のものであり、各種操作キーと液晶ディスプレイとを具備する。画像読取装置７は、操作パネル１１へ入力された指令のほか、コンピュータに接続されて該コンピュータからスキャナドライバを介して送信される指令によっても動作する。
【００８４】
図１３は、原稿載置台８に対して原稿カバー１０を開いた状態の画像読取装置７を示している。図に示すように、原稿載置台８の上面にはプラテンガラス１２０（透明部材）が配設されている。原稿載置台８の上面にプラテンガラス１２０が露出された領域が、静止原稿読取領域１２１である。静止原稿読取領域１２１は、画像読取装置７をフラットベッドスキャナとして用いる場合に、原稿が載置されて画像読取りされる領域である。
【００８５】
図１４は、原稿カバー１０及び操作パネル１１を省略した原稿載置台８の平面図である。図に示すように、静止原稿読取領域１２１の装置背面側であって、ＡＤＦ９の直下には、移動原稿読取領域１２２が設けられている。移動原稿読取領域１２２は、画像読取装置７のＡＤＦ９を用いて画像読取りを行う場合に、原稿が通過される領域である。図に示す斜線の領域は、原稿カバー１０を開いても露出されない領域である。つまり、原稿カバー１０は、静止原稿読取領域１２１の一部のみを覆うものであり、移動原稿読取領域１２２に対して開閉されるものではない。なお、図には示していないが、原稿カバー１０の下面には、静止原稿読取領域１２１に載置された原稿を押さえるために、スポンジ及び白板等からなる押さえ部材が配設されている。
【００８６】
静止原稿読取領域１２１は、平面視が長方形であり、原稿載置台８の上面の大半を占めている。静止原稿読取領域１２１の長手方向は、装置の幅方向である。静止原稿読取領域１２１に載置可能な最大サイズはＡ４サイズである。つまり、画像読取装置７は、ＦＢＳとして用いる場合には、Ａ４サイズの大きさまでの原稿を読み取ることができる。Ａ４サイズの原稿は、その長手方向を静止原稿読取領域１２１の長手方向と一致させて、すなわち原稿の長手方向を装置の幅方向として、装置正面側を基準としてプラテンガラス１２０上に載置される。
【００８７】
静止原稿読取領域１２１の装置背面側には、移動原稿読取領域１２２が形成されている。移動原稿読取領域１２２は、静止原稿読取領域１２１の長手方向に沿って細長の領域である。画像読取装置７のＡＤＦ９を用いて画像読取りする場合には、移動原稿読取領域１２２を通過するように原稿が搬送される。
【００８８】
原稿載置台８の内部には、画像読取ユニットが内蔵されている。ＦＢＳによる画像読取りの際には、画像読取ユニットを構成するＣＩＳ１２６がプラテンガラス１２０に沿って往復動されることにより、静止原稿読取領域１２１にある原稿の画像読取りが行われる。ＡＤＦ９を用いる場合には、ＣＩＳ１２６は、移動原稿読取領域１２２を通過する原稿を読取可能な位置に移動して静止する。このような画像読取ユニットは、第１の実施形態で説明した画像読取ユニット２４と同様のものであるので、詳細な説明は省略する。
【００８９】
図１２に示すように、ＡＤＦ９は、原稿トレイ１２３（原稿載置部）から所定の原稿搬送路を経て原稿排出トレイ１２４（原稿排紙部）へ原稿を連続搬送するものである。ＡＤＦ９による搬送過程において、原稿が原稿載置台８の上面の移動原稿読取領域１２２を通過し、その下方に待機するＣＩＳ１２６が、該原稿の画像を読み取るようになっている。原稿カバー１０は、その上面にＡＤＦ９の一部、すなわち原稿トレイ１２３及び原稿排出トレイ１２４を備える。換言すればＡＤＦ９の原稿搬送路や搬送手段等は、原稿カバー１０と独立して構成されている。したがって、原稿カバー１０の開閉により、原稿トレイ１２３及び原稿排出トレイ１２４が原稿カバー１０とともに回動するが、ＡＤＦ９の原稿搬送路や搬送手段等は、原稿カバー１０の開閉に拘わらず固定されている。なお、ＡＤＦ９の内部構成も、第１の実施形態で説明したＡＤＦ３と同様であるので、詳細な説明は省略する。また、図には示していないが、原稿トレイ１２３に上記拡張トレイ１０４と同様の拡張トレイを設けてもよい。
【００９０】
画像読取装置７をＦＢＳとして用いる場合には、図１３に示したように、原稿カバー１０を開いて静止原稿読取領域１２１を露出させる。そして、静止原稿読取領域１２１に原稿が載置される。静止原稿読取領域１２１は、載置可能な最大サイズがＡ４サイズとして形成されており、図１４に２点鎖線で示した領域１２５はＡ４サイズと同等の領域を示している。静止原稿読取領域１２１の装置背面側の領域（図１４の斜線領域）は露出されないが、露出された装置正面側から原稿を滑り込ませるようにして、静止原稿読取領域１２１にＡ４サイズの原稿を載置することができる。
【００９１】
原稿載置台８の内部には画像読取ユニットのＣＩＳ１２６が内蔵されている。図に示すように、ＣＩＳ１２６は、静止原稿読取領域１２１の長手方向に細長であり、その細長の長手方向を読取ラインとするラインセンサである。ＣＩＳ１２６の読取ラインは、静止原稿読取領域１２１の長手方向と略同幅であり、Ａ４サイズの原稿の長手方向の長さに対応している。画像読取りが開始される際に、ＣＩＳ１２６は、ベルト駆動機構により、静止原稿読取領域１２１の正面側から短手方向へ移動される。その間に、ＣＩＳ１２６は、光源から光を照射して原稿からの反射光を受光し、受光した反射光を電気信号に変換されて出力する。これにより、静止原稿読取領域１２１の長手方向を読取ラインとして、原稿の画像読取りが行われる。つまり、ＣＩＳ１２６は、静止原稿読取領域１２１の長手方向を主走査方向とし、短手方向を副走査方向として原稿の画像読取りを行う。さらに換言すれば、Ａ４サイズの原稿は、その長手方向を主走査方向とし、短手方向を副走査方向として画像読取りが行われる。これにより、静止原稿読取領域１２１の短手方向を主走査方向とし、長手方向を副走査方向としてラインセンサにより画像読取りを行う場合に比べて、ＣＩＳ１２６を移動させる距離が短くなるので、ＣＩＳ１２６の移動時間が短縮される。
【００９２】
図１５は、ＡＤＦ９を使用する場合の原稿載置台８に対する原稿の移動を示している。ＡＤＦ９を使用する場合には、図１２に示すように、原稿載置台８に対して原稿カバー１０が閉じられる。そして、図１５に示すように、ＣＩＳ１２６は移動原稿読取領域１２２の下方に移動して静止される。画像読取りを行う原稿は、ＡＤＦ９の原稿トレイ１２３に載置される。ＡＤＦ９の原稿搬送路の幅は、移動原稿読取領域１２２の長手方向に対応している。移動原稿読取領域１２２の長手方向の長さは、静止原稿読取領域１２１の長手方向の長さと同等であり、Ａ４サイズの原稿の長手方向の長さに対応している。ＡＤＦ９は、原稿搬送路の幅を最大幅とするサイズの原稿を搬送可能である。つまり、Ａ４サイズの原稿の長手方向の長さを幅方向の長さとする原稿を搬送可能である。このような幅を有する定型サイズの原稿はＡ３サイズである。したがって、ＡＤＦ９は、Ａ３サイズの原稿を、原稿の長手方向を搬送方向として搬送可能である。
【００９３】
原稿トレイ１２３に載置されたＡ３サイズの原稿は、原稿搬送路に給紙されて移動原稿読取領域１２２に至る。さらに搬送されることにより、原稿は移動原稿読取領域１２２を通過する。その際に、ＣＩＳ１２６が搬送されている原稿の画像を読み取る。
【００９４】
図１５に２点鎖線で示した領域１２７は、Ａ３サイズの原稿を示している。図に示すように、Ａ３サイズの原稿が移動原稿読取領域１２２を通過する方向は、移動原稿読取領域１２２の長手方向に対して直交する方向である。移動原稿読取領域１２２の長手方向とＣＩＳ１２６の読取ラインは同方向である。つまり、移動原稿読取領域１２２の長手方向がＣＩＳ１２６の主走査方向であり、原稿の搬送方向がＣＩＳ１２６の副走査方向である。したがって、ＡＤＦ９により搬送されるＡ３サイズの原稿は、その短手方向を主走査方向とし、長手方向を副走査方向として画像読取りが行われる。これにより、移動原稿読取領域１２２の長手方向に収まる幅の原稿、すなわち最大でＡ３サイズの原稿の画像読取りを行うことができる。
【００９５】
このように、本画像読取装置７によっても、上記第１の実施形態と同様の作用効果を奏することができる。また、本実施形態にように、原稿カバー１０を静止原稿移動領域１２１のみを覆うものとして、ＡＤＦ９の一部である原稿トレイ１２３及び原稿排出トレイ１２４のみを原稿カバー１０の開閉によりともに回動されるものとし、移動原稿読取領域１２２の上側に設けられる原稿搬送路や搬送手段等のＡＤＦ９の他の構成を、原稿カバー１０と独立させて原稿載置台８の上側に固定することにより、原稿カバー１０が軽量化され、原稿カバー１０の開閉動作が容易になる。また、原稿カバー１０の開閉に伴う衝撃や振動がＡＤＦ９の搬送手段等の駆動部分に直接的に伝達されないので、ＡＤＦ９の故障を軽減することができる。
【００９６】
なお、本実施の形態においても、ＣＩＳ１２６に代えて、ＣＣＤを用いた縮小光学系の画像読取ユニットを用いることができる。また、ＡＤＦ９において、原稿トレイ１２３と原稿排出トレイ１２４とを上下逆にして、原稿を上から下に反転搬送するＵターンパスに変更したり、Ｕターンパスに代えてストレートパスを用いてもよいことは言うまでもない。
【図面の簡単な説明】
【００９７】
【図１】図１は、本発明の第１の実施形態に係る画像読取装置１の外観構成を示す斜視図である。
【図２】図２は、原稿載置台２に対して原稿カバー４を開いた状態の画像読取装置１を示す斜視図である。
【図３】図３は、原稿載置台２の内部構成を示す平面図である。
【図４】図４は、ＣＩＳ２７の構成を示す平面図である。
【図５】図５は、ＣＩＳ２７を搭載したキャリッジ２８の構成を示す平面図である。
【図６】図６は、原稿載置台２の内部構成を示す縦断面図である。
【図７】図７は、ベルト駆動機構３０の構成を示す平面図である。
【図８】図８は、ＡＤＦ３の主要な構成を示す縦断面図である。
【図９】図９は、静止原稿読取領域２２における画像読取動作を説明するための平面図である。
【図１０】図１０は、移動原稿読取領域２３における画像読取動作を説明するための平面図である。
【図１１】図１１は、ＡＤＦ６の主要な構成を示す縦断面図である。
【図１２】図１２は、本発明の第２の実施形態に係る画像読取装置７の外観構成を示す斜視図である。
【図１３】図１３は、原稿載置台８に対して原稿カバー１０を開いた状態の画像読取装置７を示す斜視図である。
【図１４】図１４は、静止原稿読取領域１２１における画像読取動作を説明するための平面図である。
【図１５】図１５は、移動原稿読取領域１２２における画像読取動作を説明するための平面図である。
【図１６】図１６は、従来の画像読取装置を備えた多機能装置９０の外観構成を示す斜視図である。
【図１７】図１７は、従来の画像読取装置を備えた多機能装置９０の外観構成を示す斜視図である。
【符号の説明】
【００９８】
１，７・・・画像読取装置
２，８・・・原稿載置台
３，６，９・・・ＡＤＦ（原稿搬送機構）
４，１０・・・原稿カバー（カバー部材）
２０，１２０・・・プラテンガラス（透明部材）
２２，１２１・・・静止原稿読取領域
２３，１２２・・・移動原稿読取領域
２７，１２６・・・ＣＩＳ（ラインセンサ）
６０，１０１，１２３・・・原稿トレイ（原稿載置部）
６１，１０２・・・原稿搬送路（搬送路）
６２，１０３，１２４・・・原稿排出トレイ（原稿排出部）
【図１】
2007067605.tif 000003
【図２】
2007067605.tif 000004
【図３】
2007067605.tif 000005
【図４】
2007067605.tif 000006
【図５】
2007067605.tif 000007
【図６】
2007067605.tif 000008
【図７】
2007067605.tif 000009
【図８】
2007067605.tif 000010
【図９】
2007067605.tif 000011
【図１０】
2007067605.tif 000012
【図１１】
2007067605.tif 000013
【図１２】
2007067605.tif 000014
【図１３】
2007067605.tif 000015
【図１４】
2007067605.tif 000016
【図１５】
2007067605.tif 000017
【図１６】
2007067605.tif 000018
【図１７】
2007067605.tif 000019